(57)【要約】【課題】開閉操作時に前方への扉の出っ張り量を少なくし、開扉時に二枚の扉が重なり状となるようにすることで、家具本体の開口部に対して扉のかぶり代を少なくし、家具本体の開口幅を広くすることで品物の出し入れが円滑に行え、収納性や収納容積の向上が図れる家具類の跳ね上げ式扉を提供する。【解決手段】家具本体１１の開口部に上端部を枢止した跳ね上げ式の上部扉１３と、この上部扉１３に対して重なり状態から下方に引き出すことのできる面方向への移動が可能となり、上部扉１３と一体に開閉動するよう連動された下部扉１４からなり、上記家具本体１１に装着した開閉操作機構１５と上記上部扉１３が、開閉操作機構１５の開閉操作で上部扉１３が上下に開閉動するよう連動されている。【選択図】  図１
2005013566.tif 000002
【特許請求の範囲】
【請求項１】
家具本体の開口部に上端部を枢止した跳ね上げ式の上部扉と、この上部扉に対して重なり状態から下方に引き出すことのできる面方向への移動が可能となり、上部扉と一体に開閉動するよう連動された下部扉からなり、上記上部扉と下部扉は、上部扉から下部扉を引き出した状態で家具本体の開口部を閉鎖する大きさに形成され、上記家具本体に装着した開閉操作機構と上記上部扉を、開閉操作機構の開閉操作で上部扉が上下に開閉動するよう連動した家具類の跳ね上げ式扉。
【請求項２】
上記下部扉は、上部扉の両側に設けたガイドに沿って面方向に移動自在となり、上記上部扉と下部扉が、上部扉から下部扉を引き出した状態と、上部扉に下部扉が重なる状態を保持するバランス機構を介して連動されている請求項１に記載の家具類の跳ね上げ式扉。
【請求項３】
上記上部扉と下部扉が、上部扉の開閉動と下部扉の面方向の移動が同時に生じるように連動機構を介して連動されている請求項１に記載の家具類の跳ね上げ式扉。
【発明の詳細な説明】
【０００１】
【発明の属する技術分野】
この発明は、家具類の開口部を開閉する跳ね上げ式扉、更に詳しくは、上部扉と下部扉の二枚の扉からなり、開位置で二枚の扉が重なり合うことで前方への出っ張り量を少なくすることができ、しかも、家具本体の開口部を全開することができるようにした吊戸棚のような家具類の跳ね上げ式扉に関する。
【０００２】
【従来の技術】
従来、吊戸棚のような家具類の開口部を開閉する跳ね上げ式の開閉扉は、図７（Ａ）のように、家具本体１の前面開口部に、一枚の扉２を跳ね上げ可能に取り付けたり、図７（Ｂ）のように、上下二枚の扉を二つ折り可能に接続した二つ折り扉３としたり、図７（Ｃ）のように、上下別々の跳ね上げ可能な二枚の扉４で開閉自在とした構造が採用されている（例えば、特許文献１と２参照）。
【０００３】
【特許文献１】
特開平５−３１０１３号公報（図１）
【特許文献２】
特開２００３−２４１５２号公報（図１）
【０００４】
【発明が解決しようとする課題】
ところで、上記のような従来の跳ね上げ式の開閉扉は、一枚の扉２の場合前方への扉の出っ張り量が多くなったり、二つ折り扉３では家具本体の開口部に対して扉のかぶり代が残り、その分、開口幅が狭くなり、品物の出し入れに支障を与えたり、二枚の扉４では家具本体の収納物を一度に見ることができないという問題がある。
【０００５】
そこで、この発明の課題は、開閉操作時に前方への扉の出っ張り量を少なくし、開扉時に二枚の扉が重なり状となるようにすることで、家具本体の開口部に対して扉のかぶり代をなくし、家具本体の開口幅を広くすることで品物の出し入れが円滑に行え、家具本体の収納物を一度に見ることができ、収納性や収納容積の向上を図ることができる家具類の跳ね上げ式扉を提供することにある。
【０００６】
【課題を解決するための手段】
上記のような課題を解決するため、この発明は、家具本体の開口部に上端部を枢止した跳ね上げ式の上部扉と、この上部扉に対して重なり状態から下方に引き出すことのできる面方向への移動が可能となり、上部扉と一体に開閉動するよう連動された下部扉からなり、上記上部扉と下部扉は、上部扉から下部扉を引き出した状態で家具本体の開口部を閉鎖する大きさに形成され、上記家具本体に装着した開閉操作機構と上記上部扉を、開閉操作機構の開閉操作で上部扉が上下に開閉動するよう連動した構成を採用したものである。
【０００７】
ここで、家具本体は吊戸棚であり、開閉操作機構は、家具本体の下部に設けた操作部材と上部扉を複数のリンクを用いて連動し、操作部材の上下動又は前後動で上部扉が上下に回動するようになっている。
【０００８】
上記下部扉は、上部扉の両側に設けたガイドに沿って面方向に移動自在となり、上記上部扉と下部扉が、上部扉から下部扉を引き出した状態と、上部扉に下部扉が重なる状態を保持するバランス機構を介して連動されている構造とすることができる。
【０００９】
また、上記上部扉と下部扉が、上部扉の開閉動と下部扉の面方向の移動が同時に生じるように連動機構を介して連動されている構造としてもよい。
【００１０】
上記上部扉は、上端縁が家具本体の上部に蝶番等で枢着され、この上部扉の両側に設けた上下方向の側縁ガイドレール部材に下部扉の両側が収まり、上記バランス機構は、側縁ガイドレール部材内において、側縁ガイドレール部材の上端部に滑車を取り付け、一端を下部扉の上端部に固定したワイヤーを滑車に巻架し、ワイヤーの他端を上部扉内に収納した定荷重スプリングと連結した構造を有し、上部扉に対する下部扉の引き出し状態と上部扉への重なり状態を、定荷重スプリングの弾性と下部扉の重量の釣り合いによって保持するようになっている。
【００１１】
また、連動機構は、家具本体の上部側面に一端を枢止した揺動リンクの他端を下部扉の上端部と枢止連結し、この揺動リンクが、上部扉の回動時に下部扉を上部扉側に引き込んだり押し出すことにより、上部扉に対して下部扉を移動させるようになっている。
【００１２】
【発明の実施の形態】
以下、この発明の実施の形態を図示例と共に説明する。
【００１３】
図示のように、吊戸棚のような家具本体１１の開口部を開閉する跳ね上げ式扉１２は、家具本体１１の開口部の上端にこの開口部を開閉するよう蝶番等で上端縁が枢着され、上部に跳ね上げることができるようにした上部扉１３と、この上部扉１３に重なる状態から下方に引き出すことができるよう、面方向に移動可能とした下部扉１４の組み合わせからなり、上記上部扉１３は家具本体１１の開口部の上半部を開閉し、上部扉１３から引き出した下部扉１４は開口部の下半部を開閉することになり、上記上部扉１３と下部扉１４は、上部扉１３から下部扉１４を引き出した状態で家具本体１１の開口部を閉鎖する大きさに形成され、上記家具本体１１に装着した開閉操作機構１５と上記上部扉１３が、開閉操作機構１５の開閉操作で上部扉１３が上下に開閉動するよう連動されている。
【００１４】
図１乃至図５に示す第１の実施の形態の跳ね上げ式扉は、下部扉１４を押し上げて上部扉１３に重ねた状態で、上部扉１３と下部扉１４を同時に跳ね上げることができようにしたタイプである。
【００１５】
上記上部扉１３は、図４のように、その両側に設けた上下方向の側縁ガイドレール部材１６に、上部扉１３よりも家具本体１１側に位置するガイド溝１７が対向面側で開口するように形成され、下部扉１４は、その両側に設けた摺動杆１８がガイド溝１７内に収まり、上部扉１３の背面側を上下に移動自在となるよう連動され、上部扉１３と一体に跳ね上げ回動するようになっていると共に、上記上部扉１３と下部扉１４の間には、上部扉１３から下部扉１４を引き出した状態と、上部扉１３に下部扉１４が重なる状態を保持するバランス機構１９が設けられている。
【００１６】
図２と図３のように、このバランス機構１９は、側縁ガイドレール部材１６内において、側縁ガイドレール部材１６の上端部に滑車２０を取り付け、この滑車２０に巻架したワイヤー２１の下端を下部扉１４に連結し、ワイヤー２１の上端を上部扉１３の上部に、一端を上部扉１３に固定して設けた定荷重スプリング２２の他端と連結した構造を有し、定荷重スプリング２２の弾性と下部扉１４の重量をバランスさせることで、下部扉１４の上部扉１３に対する引き出し状態と重なり状態を保持するようになっている。
【００１７】
上記家具本体１１の開口面の両側で下部扉１４によって開閉される部分には、上部扉１３から引き出した下部扉１４の上下動を誘導するため、摺動杆１８が摺動する溝形ガイドレール２３が設けられ、この摺動杆１８の上下には、上記ガイド溝１７及び溝形ガイドレール２３内を転動するローラ２４が回転可能に取り付けられている。
【００１８】
上記上部扉１３を跳ね上げるための開閉操作機構１５は、家具本体１１の下部に設けた操作部材２５と上部扉１３を複数のリンクを用いて連動し、図１では操作部材２５の上下動、又は図６では操作部材２５の前後動で上部扉１３が跳ね上げ回動するようになっている。
【００１９】
図５は、この開閉操作機構１５の一例を示し、操作部材２５は長いレバー状で後端部に握り部２６を有し、その中間部をピン２７で家具本体１１の下部側面に枢止することにより上下に揺動するよう枢止され、この操作部材２５の先端に上下に長い第１リンク２８の下端を枢止連結し、第１リンク２８の上端に下端を枢止連結した第２リンク２９の上端を上部扉１３の内面側で上部の位置に枢止し、第１リンク２８と第２リンク２９の枢止点に一端を結合した第３リンク３０の他端をピン３１で家具本体１１の上部側面に枢止した構造になっている。
【００２０】
第１の実施の形態の跳ね上げ式扉１２は上記のような構成であり、図５（Ａ）は上部扉１３から下部扉１４を引き出し、垂下させた跳ね上げ式扉１２で家具本体１１の前面開口を閉鎖した閉扉時の状態を、図５（Ｂ）は下部扉１４を前面下部に設けたハンドル３２で押し上げて閉扉状態にある上部扉１３に重ねた半開扉時の状態を示し、操作部材２５は握り部２６が上方に位置するように引き起こされた状態となり、この操作部材２５で第１リンク２８と第２リンク２９が引き下げられ、第１リンク２８と第２リンク２９の枢止点が、第３リンク３０の回転半径に移動が規制されることで、第２リンク２９によって上部扉１３は引き下げられ、上部扉１３は家具本体１１の前面開口を閉鎖している。
【００２１】
図５（Ｂ）の半開扉の状態で、図５（Ｃ）のように、操作部材２５の握り部２６を握ってこの操作部材２５を引き下げ回動させると、第１リンク２８と第２リンク２９が押し上げられ、第１リンク２８と第２リンク２９の枢止点の移動が、第３リンク３０の回転半径に移動が規制されることで、第２リンク２９は上部扉１３を押し上げることになり、従って、上部扉１３とこれに重なり状となる下部扉１４は一体に跳ね上げられ、家具本体１１の前面開口を開放した開扉の状態になる。
【００２２】
また、跳ね上げ式扉１２を閉扉の状態に戻すには、上記した開扉時と逆に操作部材２５を押し上げればよく、第１リンク２８と第２リンク２９で上部扉１３が引き下げられ、図５（Ｂ）のように上部扉１３が家具本体１１の前面開口を閉鎖した半開扉の状態となり、この後上部扉１３から下部扉１４を引き出せば図５（Ａ）に示した閉扉状態となる。
【００２３】
なお、上部扉１３の跳ね上げ状態の保持は、上部扉１３と家具本体１１の間に伸縮ダンパー３３を設けることによって行っている。
【００２４】
この第１の実施の形態においては、開扉時に下部扉１４を押し上げて上部扉１３に重ねた後、上部扉１３と下部扉１４を一体に跳ね上げるようにしたので、家具本体１１の前方への跳ね上げ式扉１２の張出し量を半減することができることになり、家具本体１１の前面開口を全開することができるので、収納物の全量を見ることができる。
【００２５】
次に、図６に示す第２の実施の形態跳ね上げ式扉１２は、上部扉１３の跳ね上げと同時に下部扉１４が跳ね上げられながら上部扉１３に重なっていくようにしたタイプである。なお、上述した第１の実施の形態と同一部分については、同一符号を付すことによって説明に代える。
【００２６】
この第２の実施の形態は、上記第１の実施の形態において、下部扉１４の内面側で上端部の位置に先端を枢止した第４リンク３４（揺動リンク）の後端を家具本体の側面にピン３５で枢着した構造になっている。
【００２７】
このように、連動機構となる第４リンク３４で家具本体１１の側面と下部扉１４の上端部の位置を結合すれば、開扉時に上部扉１３の跳ね上げと同時に下部扉１４が跳ね上げられるとき、上記第４リンク３４がピン３５を支点に上方へ回動することで下部扉１４を上部扉１３に向けて引き上げることになり、また、閉扉時には、上部扉１３が下方に回動することで第４リンク３４がピン３５を支点に下方へ回動し、下部扉１４が上部扉１３から引き出されることになる。
【００２８】
この第２の実施の形態においても、開扉時に上部扉１３を跳ね上げると、下部扉１４は扉が跳ね上げと共に上部扉１３の背面側に重なって行くことで、家具本体１１の前方への跳ね上げ式扉１２の張出し量を半減することができることになり、家具本体１１の前面開口を全開することができるので、収納物の全量を見ることができる。
【００２９】
図６に示した開閉操作機構１５は、操作部材２５がＬ形に屈曲して下端部に握り部２６を有し、その中間部をピン２７で家具本体１１の下部側面に枢止することにより前後に揺動するよう枢止され、この操作部材２５の先端に上下に長い第１リンク２８の下端を枢止連結し、家具本体１１の上部に一端を枢止した第２リンク２９の他端を下部扉１４の下端に枢止し、この第２リンク２９の上端寄りの位置に第１リンク２８の上端を枢止連結した構造を有し、操作部材２５の握り部２６が手前に位置する閉扉状態で、握り部２６を後方に押し込むと、操作部材２５の回動で第１リンク２８が上昇し、第２リンク２９が上方に回動することで、下部扉１４と上部扉１３を同時に跳ね上げることになる。
【００３０】
なお、図６に示した開閉操作機構１５の上記第２リンク２９は、開閉操作機構１５による跳ね上げ式扉１２の開閉時に、第４リンク３４と共動して下部扉１４を上部扉１３に対して面方向に移動させる機能を有している。
【００３１】
【発明の効果】
以上のように、この発明によると、家具本体の開口部に枢止した跳ね上げ式の上部扉に対して、この上部扉と一体に開閉動するよう連動された下部扉を、上部扉に対して重なり状態から下方に引き出すことのできる面方向への移動を可能とし、上記家具本体に装着した開閉操作機構と上記上部扉を、開閉操作機構の開閉操作で上部扉が上下に開閉動するよう連動したので、開閉操作時に前方への扉の出っ張り量を半減することができ、開扉時に二枚の扉が重なり状となって家具本体の前面開口を全開することで、家具本体の開口部に対して扉のかぶり代をなくし、家具本体の開口幅を広くすることができるので品物の出し入れが円滑に行え、収納性や収納容積の向上を図ることができる。
【図面の簡単な説明】
【図１】この発明に係る跳ね上げ式扉を吊戸棚に用いた第１の実施の形態を示す開扉状態の斜視図
【図２Ａ】同上の上部扉と下部扉における側縁ガイドレール部材と溝形ガイドレール及びバランス機構の構造を示す閉扉状態の縦断正面図
【図２Ｂ】同じく開扉状態の縦断正面図
【図３】（Ａ）は同上の上部扉と下部扉における側縁ガイドレール部材と溝形ガイドレール及びバランス機構の構造を示す閉扉状態の縦断側面図、（Ｂ）は同じく開扉状態の縦断側面図
【図４】上部扉と下部扉の連動構造を示す拡大した横断平面図
【図５】跳ね上げ式扉の開閉操作機構を示し、（Ａ）は閉扉状態の縦断側面図、（Ｂ）は半開扉状態の縦断側面図、（Ｃ）は開扉状態の縦断側面図
【図６】（Ａ）は跳ね上げ式扉の第２の実施の形態を示す閉扉状態の縦断側面図、（Ｂ）は同じく開扉状態の縦断側面図
【図７】従来の跳ね上げ式扉を示し、（Ａ）は一枚の跳ね上げ式扉の例を示す側面図、（Ｂ）は二つ折り扉の例を示す側面図、（Ｃ）は二枚の跳ね上げ式扉の例を示す側面図
【符号の説明】
１１    家具本体
１２    跳ね上げ式扉
１３    上部扉
１４    下部扉
１５    開閉操作機構
１６    側縁ガイドレール部材
１７    ガイド溝
１８    摺動杆
１９    バランス機構
２０    滑車
２１    ワイヤー
２２    定荷重スプリング
２３    溝形ガイドレール
２４    ローラ
２５    操作部材
２６    握り部
２７    ピン
２８    第１リンク
２９    第２リンク
３０    第３リンク
３１    ピン
３２    ハンドル
３３    伸縮ダンパー
３４    第４リンク
３５    ピン
【図１】
2005013566.tif 000003
【図２Ａ】
2005013566.tif 000004
【図２Ｂ】
2005013566.tif 000005
【図３】
2005013566.tif 000006
【図４】
2005013566.tif 000007
【図５】
2005013566.tif 000008
【図６】
2005013566.tif 000009
【図７】
2005013566.tif 000010